(57)【要約】【課題】利用者が足を掛けることのできるフットステージの着脱を可能にしたテーブルを提供する。【解決手段】テーブルは、天板を支持する複数の支持脚１４の各々に被取付部１６を有するテーブル本体と、被取付部１６に形成された第１締結孔１７に対する第１締結部材Ｂ１の締結により複数の支持脚１４に各別に連結されるブラケット３１とブラケット３１の各々に連結されるステージ本体６０とを有するフットステージ３０と、を備える。【選択図】図２
2020062202.tif 000002
【特許請求の範囲】
【請求項１】
天板を支持する複数の支持脚の各々に被取付部を有するテーブル本体と、
前記被取付部に形成された締結孔に対する締結部材の締結により前記複数の支持脚に各別に連結されるブラケットと前記ブラケットの各々に連結されるステージ本体とを有するフットステージと、を備える
テーブル。
【請求項２】
前記ブラケットは、
前記締結部材の締結により前記被取付部に取り付けられる取付部と前記ステージ本体が連結されるステージ連結部とを有し、
前記ステージ本体は、
前記ステージ連結部を各別に収容するブラケット収容部を有するとともに前記ブラケット収容部の各々に前記ステージ連結部に上方から当接する当接面を有する
請求項１に記載のテーブル。
【請求項３】
前記締結部材が第１締結部材であり、
前記ブラケットと前記ステージ本体とが第２締結部材の締結により連結されている
請求項２に記載のテーブル。
【請求項４】
前記締結孔が第１締結孔であり、
前記ステージ本体は、
前記当接面に開口して前記第２締結部材が締結される第２締結孔を有し、
前記ブラケットは、
前記ステージ連結部に上下方向に延びて前記第２締結部材が通る貫通孔を有する
請求項３に記載のテーブル。
【請求項５】
前記ブラケットは、
前記貫通孔に連通して前記第２締結部材の頭部を収容する頭部収容部を有する
請求項４に記載のテーブル。
【請求項６】
前記ステージ本体は、
前記ブラケットの各々に各別に連結されるジョイント部材を有し、
前記ジョイント部材は、
下方が開放された第１チャンネル部材と、
上方が開放された第２チャンネル部材であって前記第１チャンネル部材の側壁に内側から重なる側壁と前記第１チャンネル部材の下端よりも上方に位置する底壁とを有する前記第２チャンネル部材とを有し、
前記第１チャンネル部材の側壁と前記第２チャンネル部材の底壁とによって前記ブラケット収容部が構成され、前記第２チャンネル部材の底壁の下面が前記当接面を構成する
請求項２〜５のいずれか一項に記載のテーブル。
【請求項７】
前記ジョイント部材は、
前記第２チャンネル部材の底壁に前記第２締結部材が通る貫通孔を有するとともに、前記第２チャンネル部材の底壁に接合されて前記第２締結部材が締結される溶接ナットを有する
請求項４を引用する請求項６に記載のテーブル。
【請求項８】
前記ステージ本体は、
互いに異なる前記ジョイント部材に架設されるフットバーを有し、
前記ジョイント部材は、
上方が開放された第３チャンネル部材であって、前記第１チャンネル部材の延在方向において前記第２チャンネル部材に隣接するように前記第１チャンネル部材に収容され、前記第１チャンネル部材の側壁に内側から重なる側壁と前記第２チャンネル部材の底壁よりも下方に位置する底壁とを有する前記第３チャンネル部材を有し、
前記第３チャンネル部材は、
側壁の一部および底壁の一部が前記第２チャンネル部材の下方に位置し、
前記フットバーは、
前記第１チャンネル部材の側壁において前記第２チャンネル部材の側壁が重なる部分と前記第３チャンネル部材の側壁が重なる部分とに跨がるように接合されている
請求項６または７に記載のテーブル。
【発明の詳細な説明】
【技術分野】
【０００１】
本発明は、複数の支持脚によって支持されて床面から比較的高い位置に天板が位置するテーブルに関する。
【背景技術】
【０００２】
オフィスなどにおいては、複数の支持脚によって支持されて床面から比較的高い位置に天板が位置するテーブルが利用されている（例えば、特許文献１）。こうしたテーブルは、例えば、周囲に複数の椅子が配置され、少人数でのミーティング等に利用される。
【先行技術文献】
【特許文献】
【０００３】
【特許文献１】特開２０１８−６８８５５号公報
【発明の概要】
【発明が解決しようとする課題】
【０００４】
上述したテーブルにおいては、天板が床面から比較的高い位置に位置しているため、椅子に座っている利用者が足を掛けることのできるフットステージがあると便利である。しかしながら、テーブルの設置場所や用途などによってはフットステージが不要となることもある。
【０００５】
本発明は、利用者が足を掛けることのできるフットステージの着脱を可能にしたテーブルを提供することを目的とする。
【課題を解決するための手段】
【０００６】
上記課題を解決するテーブルは、天板を支持する複数の支持脚の各々に被取付部を有するテーブル本体と、前記被取付部に形成された締結孔に対する締結部材の締結により前記複数の支持脚に各別に連結されるブラケットと前記ブラケットの各々に連結されるステージ本体とを有するフットステージと、を備える。
【０００７】
上記構成によれば、テーブル本体に対してステージ本体がブラケットを介して締結により取り付けられる。そのため、テーブル本体に対してフットステージを着脱可能に構成することができる。
【０００８】
上記構成のテーブルにおいて、前記ブラケットは、前記締結部材の締結により前記被取付部に取り付けられる取付部と前記ステージ本体に連結されるステージ連結部とを有し、前記ステージ本体は、前記ステージ連結部を各別に収容するブラケット収容部を有するとともに前記ブラケット収容部の各々に前記ステージ連結部に上方から当接する当接面を有することが好ましい。
【０００９】
上記構成によれば、複数の支持脚の各々にブラケットが取り付けられたのち、各ブラケットのステージ連結部がブラケット収容部に収容されるようにステージ本体が配設されることで各ブラケットにステージ本体が載置された状態にすることができる。これにより、ブラケットにステージ本体を組み付ける際の作業者の負担を軽減することができる。
【００１０】
上記構成のテーブルにおいて、前記締結部材が第１締結部材であり、前記ブラケットと前記ステージ本体とが第２締結部材の締結により連結されていることが好ましい。
上記構成によれば、ブラケットとステージ本体とが第２締結部材の締結により連結されることから、例えば溶接機などの特別な設備がなくともブラケットとステージ本体との連結を行うことができる。
【００１１】
上記構成のテーブルにおいて、前記締結孔が第１締結孔であり、前記ステージ本体は、前記当接面に開口して前記第２締結部材が締結される第２締結孔を有し、前記ブラケットは、前記ステージ連結部に上下方向に延びて前記第２締結部材が通る貫通孔を有することが好ましい。
【００１２】
上記構成によれば、ブラケットに対してステージ本体を載置する際に細かな位置合わせが不要である。そのため、ブラケットに対してステージ本体を載置する際，作業者がステージ本体を保持する時間が短くなり、作業者への負担を軽減することができる。
【００１３】
上記構成のテーブルにおいて、前記ブラケットは、前記貫通孔に連通して前記第２締結部材の頭部を収容する頭部収容部を有することが好ましい。
上記構成によれば、第２締結部材の頭部が頭部収容部に収容されることで周囲から第２締結部材が視認しにくくなる。これにより、フットステージ、ひいてはテーブル全体の美観性を向上させることができる。
【００１４】
上記構成のテーブルにおいて、前記ステージ本体は、前記ブラケットの各々に各別に連結されるジョイント部材を有し、前記ジョイント部材は、下方が開放された第１チャンネル部材と、上方が開放された第２チャンネル部材であって前記第１チャンネル部材の側壁に内側から重なる側壁と前記第１チャンネル部材の下端よりも上方に位置する底壁とを有する前記第２チャンネル部材とを有し、前記第１チャンネル部材の側壁と前記第２チャンネル部材の底壁とによって前記ブラケット収容部が構成され、前記第２チャンネル部材の底壁の下面が前記当接面を構成することが好ましい。
【００１５】
上記構成によれば、複数のチャンネル部材によってジョイント部材が構成されることから、ジョイント部材の機械的な強度を確保しつつ、ジョイント部材、ひいてはステージ本体の軽量化を図ることができる。
【００１６】
上記構成のテーブルにおいて、前記ジョイント部材は、前記第２チャンネル部材の底壁に前記第２締結部材が通る貫通孔を有するとともに、前記第２チャンネル部材の底壁に接合されて前記第２締結部材が締結される溶接ナットを有することが好ましい。
【００１７】
上記構成によれば、ジョイント部材の機械的な強度の確保およびジョイント部材の軽量化を図りつつ、第２締結部材が締結される第２締結孔を簡易な構成のもとで形成することができる。
【００１８】
上記構成のテーブルにおいて、前記ステージ本体は、互いに異なる前記ジョイント部材に架設されるフットバーを有し、前記ジョイント部材は、上方が開放された第３チャンネル部材であって、前記第１チャンネル部材の延在方向において前記第２チャンネル部材に隣接するように前記第１チャンネル部材に収容され、前記第１チャンネル部材の側壁に内側から重なる側壁と前記第２チャンネル部材の底壁よりも下方に位置する底壁とを有する前記第３チャンネル部材を有し、前記第３チャンネル部材は、側壁の一部および底壁の一部が前記第２チャンネル部材の下方に位置し、前記フットバーは、前記第１チャンネル部材の側壁において前記第２チャンネル部材の側壁が重なる部分と前記第３チャンネル部材の側壁が重なる部分とに跨がるように接合されていることが好ましい。
【００１９】
上記構成によれば、ジョイント部材を介してブラケットとフットバーとの間で伝達される機械的な負荷を第２チャンネル部材および第３チャンネル部材の双方に分散させることができる。その結果、ジョイント部材、ひいてはフットステージの機械的な強度を高めることができる。
【図面の簡単な説明】
【００２０】
【図１】テーブルの一実施形態の概略構成を示す斜視図。
【図２】テーブル本体とフットステージとの連結部分におけるフットステージの分解斜視図。
【図３】ブラケットの下部の構成を示す斜視図。
【図４】ジョイント部材の構成を示す分解斜視図。
【図５】ジョイント部材の内部の構成を示す部分断面斜視図。
【図６】ジョイント部材とフットバーとの連結部分の構成を示す斜視図。
【図７】ジョイント部材とフットバーとの連結部分において第２および第３チャンネル部材とフットバーとの位置関係の一例を示す側面図。
【図８】ステージ本体を示す斜視図。
【図９】支持脚に取り付けられたブラケットにステージ本体が載置される過程を示す斜視図。
【図１０】ブラケットにステージ本体が載置された状態を示す斜視図。
【発明を実施するための形態】
【００２１】
図１〜図１０を参照して、テーブルの一実施形態について説明する。
（全体構成について）
図１に示すように、テーブル１０は、テーブル本体１１とテーブル本体１１に対して着脱可能に取り付けられるフットステージ３０とを有している。
【００２２】
テーブル本体１１は、テーブル１０の上面視にて矩形形状を有する天板１２と図示されないフレームを介して天板１２を支持する複数の支持脚１４（本実施形態では４つ）とを有している。各支持脚１４は、テーブル１０の上面視において、天板１２を支持する部分よりも床面に接触する部分が外側に位置するように傾斜している。これら天板１２および各支持脚１４は、テーブル本体１１単体でテーブルとしての機能を十分に果たすことができる強度に構成されている。
【００２３】
フットステージ３０は、複数の支持脚１４の各々に対して連結されており、椅子に座った利用者が天板１２で作業等をする際に足が掛けやすい距離だけ天板１２から離れた位置に配設されている。フットステージ３０は、複数の支持脚１４の各々に各別に締結されるブラケット３１と、ブラケット３１の各々に対して連結されるステージ本体６０とを有している。ステージ本体６０は、ブラケット３１に連結されるジョイント部材６１と、互いに異なるジョイント部材６１に連結されて枠状に配置される複数のフットバー８５とで構成されている。複数のフットバー８５は、テーブル１０の上面視において天板１２の周縁部よりも内側に位置している。
【００２４】
（支持脚１４について）
図２に示すように、テーブル本体１１の各支持脚１４は、フットステージ３０のブラケット３１が第１締結部材Ｂ１の締結により取り付けられる被取付部１６を有している。被取付部１６は、第１締結部材Ｂ１が締結される一対の第１締結孔１７を有している。一対の第１締結孔１７は、支持脚１４においてブラケット３１が取り付けられる被取付面１８に開口して支持脚１４の延在方向に沿って並んでいる。支持脚１４の被取付面１８は、中央部が窪んだ凹型屈曲形状に形成されている。各支持脚１４は、例えば、アルミダイキャストなどの鋳造法で形成された基体に各種の機械加工が施されることにより作製される。基体での被取付部１６は、機械加工により第１締結孔１７を形成可能な加工代を有する中実部であり、支持脚１４における他の部分よりも高い機械的強度に形成されている。
【００２５】
（ブラケット３１について）
図２および図３に示すように、ブラケット３１は、例えば、アルミダイキャストなどの鋳造法によって形成された基体に対して各種の機械加工を施すことにより作製される。ブラケット３１は、支持脚１４の被取付部１６に一対の第１締結部材Ｂ１の締結によって取り付けられる取付部３２を有している。またブラケット３１は、取付部３２の上半部に一体的に連結されて支持脚１４の反対側に向けて突出する中間連結部３５と、中間連結部３５の先端面に一体的に連結されて当該先端面から支持脚１４の反対側に向けて突出するステージ連結部４５とを有している。
【００２６】
取付部３２は、支持脚１４の延在方向に沿って長手方向が設定された平板形状を有しており、支持脚１４の被取付面１８に対向する取付面３３が被取付面１８に倣う凸型屈曲形状に形成されている。取付部３２の取付面３３（凸型）を支持脚１４の被取付面１８（凹型）に面接触させることにより、支持脚１４を中心とする周方向において支持脚１４に対するブラケット３１の位置決めがなされる。取付部３２には、第１締結部材Ｂ１が貫通する一対の第１貫通孔３４が取付部３２の長手方向に並んで形成されている。一対の第１貫通孔３４の一方は取付部３２の上端部寄りに形成され、一対の第１貫通孔３４の他方は取付部３２の下端部寄りの位置に形成されている。
【００２７】
中間連結部３５は、取付部３２の上縁部から延びる中間上壁部３６と、取付部３２の上半部における両側縁部から延びる一対の中間側壁部３７と、中間上壁部３６の先端部および一対の中間側壁部３７の先端部を連結する中間先端壁部３８とを有している。一対の第１貫通孔３４の一方は、中間上壁部３６、一対の中間側壁部３７、および、中間先端壁部３８によって囲まれる空間３９に向けて開口している。空間３９は、第１締結部材Ｂ１のねじ込み作業を行うスペースの確保や機械的な強度を確保しつつブラケットの小型化および軽量化を図る肉抜き部として機能する。また、中間連結部３５は、一対の補強リブ４０を有している。一対の補強リブ４０は、取付部３２と一対の中間側壁部３７の各々とがなす角部に一体的に連結されており、これら中間側壁部３７と取付部３２との連結部分を補強する。こうした補強リブ４０が設定されることにより、ブラケット３１の機械的な強度をさらに高められる。
【００２８】
ステージ連結部４５は、中間連結部３５の中間先端壁部３８に一体的に連結されている。ステージ連結部４５は、中間先端壁部３８における下半部であって中間先端壁部３８の両側縁よりもジョイント部材６１を構成する第１チャンネル部材６２（図４等参照）の肉厚分だけ内側の部分から延在している部分である。ステージ連結部４５は、上面４６の周縁部におけるＲ部４７が下面４８の周縁部におけるＲ部４９よりも大きな曲率半径で構成されている。
【００２９】
ステージ連結部４５は、ステージ連結部４５の延在方向に沿って並んだ一対の孔であって、ブラケット３１とステージ本体６０とを連結する第２締結部材Ｂ２が通る一対の第２貫通孔５０を有している。各第２貫通孔５０は、ステージ連結部４５を上下方向に沿って貫通する孔であり、ステージ連結部４５の下面４８における開口部分に、第２貫通孔５０の他の部分よりも大径の部分であって第２締結部材Ｂ２の頭部Ｈ２を収容可能な頭部収容部５１を有している。
【００３０】
また、ブラケット３１は、ステージ連結部４５と中間先端壁部３８との連結部分における機械的な強度を高める先端補強部５３を有している。先端補強部５３は、ステージ連結部４５と中間連結部３５の中間先端壁部３８とがなす角部においてこれらステージ連結部４５と中間先端壁部３８と一体的に連結されている。先端補強部５３は、中間連結部３５の中間先端壁部３８における上半部であって中間先端壁部３８の両側縁および上縁よりもジョイント部材６１を構成する第１チャンネル部材６２（図４等参照）の肉厚分ほど内側の部分に一体的に連結されている。
【００３１】
（ジョイント部材６１について）
図４および図５に示すように、ステージ本体６０を構成するジョイント部材６１は、第１チャンネル部材６２と、第１チャンネル部材６２に対して溶接される第２チャンネル部材６５および第３チャンネル部材７５とを有している。
【００３２】
（第１チャンネル部材６２）
第１チャンネル部材６２は、下方が開放された肉厚一定のチャンネル部材であり、例えば圧延鋼板に対するプレス加工によって作製される。第１チャンネル部材６２は、第１上壁６３と、第１上壁６３に対して緩やかなＲ部を介して一体的に連結された一対の第１側壁６４とを有している。第１チャンネル部材６２は、ジョイント部材６１とブラケット３１とが連結状態にあるとき、外観上、第１上壁６３と中間連結部３５の中間上壁部３６とによって面一の上面が構成され、かつ、第１側壁６４と中間連結部３５の中間側壁部３７とによって面一の側面が構成される形状を有している（図１０参照）。
【００３３】
（第２チャンネル部材６５）
第２チャンネル部材６５は、第１チャンネル部材６２の内側、すなわち第１上壁６３と一対の第１側壁６４との囲まれた空間に配設される。第２チャンネル部材６５は、上方が開放された肉厚一定のチャンネル部材であり、例えば圧延鋼板に対するプレス加工によって作製される。
【００３４】
第２チャンネル部材６５は、第１チャンネル部材６２の第１側壁６４に対して第１チャンネル部材６２の内側から重なる一対の第２側壁６６と、第１チャンネル部材６２の第１側壁６４の下端よりもステージ連結部４５の高さの分だけ上方に位置する第２底壁６７とを有している。一対の第２側壁６６は、第２底壁６７に対して緩やかなＲ部を介して一体的に連結されている。第２チャンネル部材６５の第２底壁６７には、ジョイント部材６１とブラケット３１とを締結する第２締結部材Ｂ２が通る一対の底壁貫通孔６８が形成されている。また、第２チャンネル部材６５の第２底壁６７には、第２締結部材Ｂ２が締結される溶接ナット６９が第２チャンネル部材６５の内側に接合されている。第２チャンネル部材６５には、これら第２貫通孔５０および溶接ナット６９の雌ねじ部によって、第２締結部材Ｂ２が締結される第２締結孔が形成されている。
【００３５】
第２チャンネル部材６５は、第２側壁６６の上端が第１チャンネル部材６２の第１上壁６３に当接する状態で、例えば、第２底壁６７と第１チャンネル部材６２の第１側壁６４とがなす隅部を利用した隅肉溶接により第１チャンネル部材６２に連結される。第２チャンネル部材６５は、ブラケット３１の先端補強部５３を収容する空間がジョイント部材６１に形成されるように第１チャンネル部材６２の端面６２ａからブラケット３１の先端補強部５３の分だけずれた位置を基準として第１チャンネル部材６２に連結される。第２底壁６７の下面６７ａの一部は、ステージ連結部４５に上方から当接する当接面として機能する。
【００３６】
こうした第２チャンネル部材６５を有するジョイント部材６１は、第２チャンネル部材６５の第２底壁６７がステージ連結部４５に上方から当接する状態において、第１チャンネル部材６２の第１側壁６４よりも下方にステージ連結部４５がはみ出さないように構成されている。また、第２チャンネル部材６５は、第２チャンネル部材６５の延在方向において当接部分７０と突出部分７１とに仮想的に区画される。当接部分７０は、ジョイント部材６１とブラケット３１とが連結状態にあるときにステージ連結部４５の上方に位置する部分である。突出部分７１は、ジョイント部材６１とブラケット３１とが連結状態にあるときにステージ連結部４５から突出するようにステージ連結部４５の斜め上方に位置する部分である。
【００３７】
（第３チャンネル部材７５）
第３チャンネル部材７５は、第１チャンネル部材６２の内側であって、第１チャンネル部材６２の延在方向において第２チャンネル部材６５に隣接する位置に配設されている。第３チャンネル部材７５は、上方が開放された肉厚一定のチャンネル部材であり、例えば圧延鋼板に対するプレス加工によって作製される。
【００３８】
第３チャンネル部材７５は、第１チャンネル部材６２の第１側壁６４に対して第１チャンネル部材６２の内側から重なる一対の第３側壁７６と、第１チャンネル部材６２の第１側壁６４の下端を繋ぐように配設される第３底壁７７とを有している。一対の第３側壁７６は、第３底壁７７に対して緩やかなＲ部を介して一体的に連結されている。また、第３チャンネル部材７５は、一対の第３側壁７６の一部と第３底壁７７の一部とによって構成され、第２チャンネル部材６５の突出部分７１の下方をステージ連結部４５に向かって突出して突出部分７１の下側に位置する（下側から対向する）突出部分７９を有する。
【００３９】
第３チャンネル部材７５は、第３側壁７６の上端が第１チャンネル部材６２の第１上壁６３に当接する状態で第３底壁７７と第１チャンネル部材６２の第１側壁６４とがなす隅部を利用した隅肉溶接により第１チャンネル部材６２に連結される。
【００４０】
こうした構成のジョイント部材６１においては、第１チャンネル部材６２の一対の第１側壁６４と第２チャンネル部材６５の第２底壁６７とによって、ブラケット３１のステージ連結部４５が収容される空間であるブラケット収容部８０が構成される。
【００４１】
（フットバー８５）
図６に示すように、フットバー８５は、上壁８６、下壁８７、内側壁８８、および、外側壁８９を有する角形鋼管で構成されている。フットバー８５は、その一端部と他端部とが互いに異なるジョイント部材６１に連結され、これら一対のジョイント部材６１に架設される。フットバー８５は、上壁８６と第１チャンネル部材６２の第１上壁６３とによって面一な上面が形成されるようにジョイント部材６１に連結される。
【００４２】
図７に示すように、フットバー８５は、内側壁８８と第１チャンネル部材６２の第１側壁６４とがなす隅部を利用した隅肉溶接により形成される溶接部分９０を介してジョイント部材６１に連結されている。溶接部分９０は、上下方向に沿って延びており、第１側壁６４のうちで第３チャンネル部材７５の第３側壁７６が重なる部分に配設されている。
【００４３】
また、フットバー８５は、外側壁８９と第１チャンネル部材６２の第１側壁６４とがなす隅部を利用した隅肉溶接により形成される溶接部分９１を介してジョイント部材６１に連結されている。溶接部分９１は、上下方向に沿って延びており、第１側壁６４のうちで第２チャンネル部材６５の第２側壁６６が重なる部分と第３チャンネル部材７５の第３側壁７６が重なる部分とに跨がるように配設されている。
【００４４】
図８に示すように、上述した構成のステージ本体６０は、互いに異なるジョイント部材６１にフットバー８５が架設されている。そのため、ステージ本体６０は、フットバー８５とジョイント部材６１の一部（フットバー８５の連結部分）とによって形成される枠状部と、ジョイント部材６１の他部であって枠状部から各支持脚１４に向かって突出してブラケット３１に連結されるジョイント部とを有していると換言可能である。
【００４５】
（フットステージ３０の組み付け方法）
図９および図１０を参照して、テーブル本体１１に対するフットステージ３０の組み付け方法の一例について説明する。
【００４６】
図９に示すように、まず、テーブル本体１１の各支持脚１４に対して第１締結部材Ｂ１によりブラケット３１を締結する。この際、支持脚１４の被取付面１８（凹型屈曲状）にブラケット３１の取付面３３（凸型屈曲状）をはめ込むようにすることにより、支持脚１４の周方向における支持脚１４の被取付部１６とブラケット３１の取付部３２との位置合わせを容易に行うことができる。
【００４７】
次に、床面にステージ本体６０を載置したのち、このステージ本体６０の上方に天板１２が位置するようにテーブル本体１１を配置する。そして、ステージ本体６０を持ち上げて、各ジョイント部材６１のブラケット収容部８０に各ブラケット３１のステージ連結部４５が収容されるように位置合わせを行う。すなわち、ステージ連結部４５の上方にブラケット収容部８０が位置するように各ブラケット３１に対するステージ本体６０の位置合わせを行う。そして、矢印１００で示すように、ステージ本体６０を下方に移動させて各ステージ連結部４５を各ジョイント部材６１のブラケット収容部８０に収容する。
【００４８】
図１０に示すように、各ブラケット収容部８０にステージ連結部４５が収容されると、第２チャンネル部材６５の第２底壁６７がステージ連結部４５に上方から当接する。すなわち、当接面である第２底壁６７の下面６７ａが支持面であるステージ連結部４５の上面４６に支持される。これにより、ステージ本体６０は、各ブラケット３１に載置された状態となる。そして、第２締結部材Ｂ２でステージ連結部４５とジョイント部材６１とを締結することにより、ステージ本体６０がテーブル本体１１に取り付けられる。
【００４９】
本実施形態の作用及び効果について説明する。
（１）テーブル１０は、テーブル本体１１と、テーブル本体１１の支持脚１４に対して第１締結部材Ｂ１の締結により各別に連結されるブラケット３１とブラケット３１の各々に連結されるステージ本体６０とを有するフットステージ３０と、を備えている。こうした構成によれば、テーブル本体１１に対してステージ本体６０を着脱可能に構成することができる。
【００５０】
（２）ブラケット３１は、ステージ本体６０に連結されるステージ連結部４５を有し、ステージ本体６０は、ステージ連結部４５を各別に収容するブラケット収容部８０を有している。また、ステージ本体６０は、ブラケット収容部８０の各々にステージ連結部４５に上方から当接する当接面を有している。こうした構成によれば、テーブル本体１１にフットステージ３０を組み付ける際、各支持脚１４に取り付けられたブラケット３１にステージ本体６０を載置した状態にすることができる。そのため、ブラケット３１に対してステージ本体６０を組み付ける際に作業者がステージ本体６０を保持し続ける必要がなく、作業者への負担を軽減することができる。
【００５１】
（３）ブラケット３１とステージ本体６０とが第２締結部材Ｂ２によって締結されている。そのため、例えば溶接機などの特別な設備がなくともブラケット３１とステージ本体６０との着脱を行うことができる。
【００５２】
（４）ステージ本体６０は、第２チャンネル部材６５の第２底壁６７の下面６７ａに開口して第２締結部材Ｂ２が締結される第２締結孔を有している。ブラケット３１は、ステージ連結部４５に上下方向に延びて第２締結部材Ｂ２が通る底壁貫通孔６８を有する。
【００５３】
ここで、例えば、第２底壁６７に溶接ボルトが設けられている構成においては、ブラケット３１にステージ本体６０を載置する際、各溶接ボルトが各ステージ連結部４５の第２貫通孔５０に挿入されるように細かな位置調整が必要である。こうした位置調整は、溶接ボルトの本数が多くなるほど難しい作業となり、作業者がステージ本体６０を保持する時間も自ずと長くなる。
【００５４】
この点、上述した構成によれば、第２締結部材Ｂ２に関するブラケット３１とステージ本体６０との位置調整、すなわち貫通孔にボルトを挿入可能にするような細かな位置調整をブラケット３１にステージ本体６０を載置した状態で行うことができる。その結果、作業者がステージ本体６０を保持する時間が短くなり、作業者への負担を軽減できる。
【００５５】
（５）ブラケット３１は、第２締結部材Ｂ２の頭部Ｈ２を収容する頭部収容部５１を有している。こうした構成によれば、第２締結部材Ｂ２の頭部Ｈ２、ひいては第２締結部材Ｂ２そのものが周囲から視認しにくくなる。これにより、フットステージ３０、ひいてはテーブル１０全体の美観性を向上させることができる。
【００５６】
（６）ブラケット３１の各々に各別に連結されるジョイント部材６１が複数のチャンネル部材によって構成されている。そのため、ジョイント部材６１の機械的な強度を確保しつつ、ジョイント部材６１、ひいてはステージ本体６０の軽量化を図ることができる。
【００５７】
（７）ジョイント部材６１においては、第２チャンネル部材６５の第２底壁６７に、第２締結部材Ｂ２が通る底壁貫通孔６８が形成され、また、第２締結部材Ｂ２が締結される溶接ナット６９が接合されている。こうした構成によれば、ジョイント部材６１の機械的な強度の確保およびジョイント部材６１の軽量化を図りつつ、第２締結部材Ｂ２が締結される第２締結孔を簡易な構成のもとで形成することができる。
【００５８】
（８）ジョイント部材６１とフットバー８５とは、第１チャンネル部材６２の第１側壁６４において第２チャンネル部材６５の第２側壁６６が重なる部分と第３チャンネル部材７５の第３側壁７６が重なる部分とに跨がる溶接部分９１を介して連結されている。こうした構成によれば、ジョイント部材６１を介してブラケット３１とフットバー８５との間で伝達される機械的な負荷を第２チャンネル部材６５および第３チャンネル部材７５の双方に効果的に分散させることができる。その結果、ジョイント部材６１、ひいてはフットステージ３０の機械的な強度を高めることができる。
【００５９】
（９）ジョイント部材６１とフットバー８５とが上下方向に沿って延びる溶接部分９０，９１を介して連結されている。こうした構成の溶接部分９０，９１は、フットバー８５に重力方向への荷重が作用したときにその荷重を剪断荷重ではなく軸荷重のように受けることができる。その結果、重力方向への荷重に対するステージ本体６０の強度を高めることができる。また、こうした溶接部分９０，９１が視認しにくくなることで、ステージ本体６０の美観性を向上させることもできる。
【００６０】
（１０）フットステージ３０は、ブラケット３１の中間連結部３５、ジョイント部材６１の第１チャンネル部材６２、および、フットバー８５によって構成される面一な上面を有している。すなわち、フットステージ３０は、利用者が足を掛ける主な面が段差なく形成されている。その結果、フットステージ３０に足を掛けた利用者に対して上記段差に起因した違和感を与えることがなく、また、フットステージ３０、ひいてはテーブル１０の美観性を向上させることもできる。
【００６１】
（１１）ジョイント部材６１とブラケット３１とが連結状態にあるとき、フットステージ３０は、外観上、第１上壁６３と中間連結部３５の中間上壁部３６とによって面一の上面が構成され、かつ、第１側壁６４と中間連結部３５の中間側壁部３７とによって面一の側面が構成される形状を有している。こうした構成によれば、ジョイント部材６１とブラケット３１との連結部分における美観性を向上させることができる。
【００６２】
（１２）ブラケット３１は、中間連結部３５の中間先端壁部３８とステージ連結部４５とがなす角部に先端補強部５３を有している。こうした構成によれば、ステージ連結部４５と中間連結部３５との間の連結部分における機械的な強度を高めることができる。
【００６３】
（１３）ブラケット３１は、中間連結部３５に形成された空間３９に開口する第１締結孔１７を有している。空間３９は、ステージ連結部４５に隣接するように配置されており、第１締結部材Ｂ１のねじ込み作業を行うスペースとして活用される。こうした構成によれば、ステージ本体６０とブラケット３１との連結部分、および、ブラケット３１と支持脚１４との連結部分、これらの連結部分の間の高低差を小さくすることができる。これにより、ステージ本体６０への荷重がブラケット３１を介して支持脚１４とブラケット３１との連結部分にモーメント荷重として作用したとしても、そのモーメント荷重を抑えることができる。また、第１締結部材Ｂ１の一部が空間３９に位置していることで第１締結部材Ｂ１に外力が作用にくくなり、当該外力に起因した緩みを抑えることもできる。
【００６４】
（１４）ステージ連結部４５は、上面４６の周縁部におけるＲ部４７が下面４８の周縁部におけるＲ部４９よりも大きな曲率半径で構成されている。こうした構成によれば、例えば、ジョイント部材６１において、第２チャンネル部材６５の第２底壁６７と第１チャンネル部材６２の第１側壁６４とがなす隅部を利用して隅肉溶接を行ったとしてもその溶接ビードとステージ連結部４５とが干渉しにくくなる。また、各ブラケット３１に対してステージ本体６０を載置する際、ステージ連結部４５がブラケット収容部８０に案内されやすくなる。
【００６５】
（１５）テーブル本体１１では支持脚１４の被取付面１８が中央部の窪んだ凹型屈曲状に形成され、ブラケット３１では被取付面１８に取り付けられる取付面３３が被取付面１８に倣う凸型屈曲形状に形成されている。そのため、支持脚１４を中心とする周方向において支持脚１４に対するブラケット３１の位置決めを容易に行うことができる。
【００６６】
本実施形態は、以下のように変更して実施することができる。本実施形態及び以下の変更例は、技術的に矛盾しない範囲で互いに組み合わせて実施することができる。
・ジョイント部材６１とフットバー８５とは、例えば、第１チャンネル部材６２の第１側壁６４において第３チャンネル部材７５の第３側壁７６が重なる部分にのみ連結されていてもよい。また、ジョイント部材６１とフットバー８５とは、ジョイント部材６１の第１上壁６３とフットバー８５の上壁８６とが溶接により連結される構成であってもよい。ジョイント部材６１とフットバー８５とは、締結部材の締結により連結される構成であってもよい。
【００６７】
・ジョイント部材６１が複数のチャンネル部材６２，６５，７５により構成されている。これに限らず、ジョイント部材６１は、第１チャンネル部材６２と第２チャンネル部材６５とによって構成されてもよい。この構成において、フットバー８５は、第１チャンネル部材６２の第１側壁６４のうちで第２チャンネル部材６５の第２側壁６６が重なる部分とステージ連結部４５が重なる部分とに跨がって連結されることが好ましい。また、ジョイント部材６１は、例えば、鋼管部材とチャンネル部材とを適宜連結することによって作製されてもよいし、基体に対する機械加工、すなわち削り出しにより作製されてもよい。
【００６８】
・ブラケット３１は、第２締結部材Ｂ２の頭部Ｈ２を収容する頭部収容部５１を有していなくともよい。
・ブラケット３１とジョイント部材６１とは、上下方向に沿って配設される第２締結部材Ｂ２によって連結される構成に限られない。例えば、ブラケット３１とジョイント部材６１とは、ステージ連結部４５と第１チャンネル部材６２の第１側壁６４とを貫通するように配設される締結部材によって締結される構成であってもよい。また、ブラケット３１とジョイント部材６１とは溶接などの接合法によって連結されてもよい。
【００６９】
・ブラケット３１とジョイント部材６１とは、その上面および側面が面一となるように構成されている。これに限らず、例えば、ジョイント部材６１の上面がブラケット３１の上面よりも上方に位置するようにジョイント部材６１とブラケット３１との間に段差が形成されていてもよい。
【００７０】
・テーブル１０においては、テーブル本体１１にブラケット３１を介してステージ本体６０が連結されていればよい。そのため、ステージ本体６０は、ブラケット３１に対して下方から連結される構成であってもよい。
【００７１】
・被取付面１８と取付面３３とは、互いに面接触する構成であることが好ましいがその形状は、例えば、平面形状であってもよいし、曲面形状であってもよい。
・フットステージ３０は、ステージ本体６０に各ブラケット３１が連結された状態でテーブル本体１１に連結される方法で組み付けられてもよい。
【００７２】
・フットステージ３０は、テーブル１０の利用者が足を掛けられるものであればよく、例えば、互いに異なるフットバー８５に連結される補強バーなどを有していてもよい。また、フットステージ３０は、複数のフットバー８５に架設されるプレートなどを有していてもよい。また、フットステージ３０は、角形鋼管に限らず円形鋼管で構成されたフットバー８５で構成されていてもよいし、複数の支持脚１４の外側にフットバー８５が配設される構成であってもよい。
【符号の説明】
【００７３】
Ｂ１…第１締結部材、Ｂ２…第２締結部材、Ｈ２…頭部、１０…テーブル、１１…テーブル本体、１２…天板、１４…支持脚、１６…被取付部、１７…第１締結孔、１８…被取付面、３０…フットステージ、３１…ブラケット、３２…取付部、３３…取付面、３４…第１貫通孔、３５…中間連結部、３６…中間上壁部、３７…中間側壁部、３８…中間先端壁部、３９…空間、４０…補強リブ、４５…ステージ連結部、４６…上面、４７…Ｒ部、４８…下面、４９…Ｒ部、５０…第２貫通孔、５１…頭部収容部、５３…先端補強部、６０…ステージ本体、６１…ジョイント部材、６２…第１チャンネル部材、６２ａ…端面、６３…第１上壁、６４…第１側壁、６５…第２チャンネル部材、６６…第２側壁、６７…第２底壁、６７ａ…下面、６８…底壁貫通孔、６９…溶接ナット、７０…当接部分、７１…突出部分、７５…第３チャンネル部材、７６…第３側壁、７７…第３底壁、７９…突出部分、８０…ブラケット収容部、８５…フットバー、８６…上壁、８７…下壁、８８…内側壁、８９…外側壁、９０，９１…溶接部分。
【図１】
2020062202.tif 000003
【図２】
2020062202.tif 000004
【図３】
2020062202.tif 000005
【図４】
2020062202.tif 000006
【図５】
2020062202.tif 000007
【図６】
2020062202.tif 000008
【図７】
2020062202.tif 000009
【図８】
2020062202.tif 000010
【図９】
2020062202.tif 000011
【図１０】
2020062202.tif 000012